(57)【要約】【課題】簡単な構造で、継合部から発生する鳴きを防止すると共に固着し難く、継合操作し易い釣竿を提供する。【解決手段】本発明の釣竿は、大径竿管３の継合部に小径竿管２の継合部を継ぎ合わせたインロー継構造を備えている。そして、小径竿管２の継合部の端部Ｐ１から継合部の長さＲ分離間した領域には、大径竿管３が嵌合可能な傾斜部１０ｂが設けられ、大径竿管３の継合部の端部Ｐ２から継合部の長さＲ分離間した領域には、小径竿管２が嵌合可能となるように部分的に内方に突出した変形部２０が設けられている。【選択図】    図３
2007252275.tif 000002
【特許請求の範囲】
【請求項１】
大径竿管の継合部に小径竿管の継合部を継ぎ合わせたインロー継式又は並継式の釣竿であって、
前記小径竿管の継合部の端部から前記継合部の長さ分離間した領域に設けられ、前記大径竿管が嵌合可能な傾斜部と、
前記大径竿管の継合部の端部から前記継合部の長さ分離間した領域に設けられ、前記小径竿管が嵌合可能となるように部分的に内方に突出した変形部と、
を有することを特徴とする釣竿。
【請求項２】
前記大径竿管の変形部は、大径竿管よりも硬質な脚部を有する固定ガイド、又は長手方向に延びる板状部材を、固定部材によって大径竿管の外周部に固定することで形成されることを特徴とする請求項１に記載の釣竿。
【請求項３】
前記小径竿管の継合部の端部は、前記変形部の長さ範囲内に位置することを特徴とする請求項１又は２に記載の釣竿。
【請求項４】
前記大径竿管の継合部の端部外周に、円周方向の繊維状、又はリング状の金属、又は樹脂で形成された補強部材が設けられていることを特徴とする請求項１乃至３のいずれか１項に記載の釣竿。
【請求項５】
前記大径竿管の変形部の内面形状は、前記小径竿管の継合部の外周面に沿った略円弧状に形成されていることを特徴とする請求項１乃至４のいずれか１項に記載の釣竿。
【発明の詳細な説明】
【技術分野】
【０００１】
本発明は、中空状又は中実状に成形された複数の竿管を継合した釣竿に関する。
【背景技術】
【０００２】
一般的に、複数の竿管を継合する釣竿では、その継合構造として、並継式、インロー継式と称されるものが知られている。前者の継合構造は、例えば、特許文献１に開示されているように、手元側に位置する竿管の先端部の内周に、先端側に位置する竿管の基端部を嵌め込むことで、竿管同士を継合するものである。また、後者の継合構造は、例えば、特許文献２に開示されているように、手元側に位置する竿管の先端部の内周に、インローと称される合せ栓（筒状であっても中実状であっても良い）を取着しておき、このインローに対して先端側に位置する竿管の基端部を嵌め込むことで、竿管同士を継合するものである。
【特許文献１】実開平３−１０５２７６号
【特許文献２】実開昭６３−１９９５６６号
【発明の開示】
【発明が解決しようとする課題】
【０００３】
上記した継合構造を備えた釣竿では、手元側に位置する竿管（以下、手元側竿管と称する）と、先端側に位置する竿管（以下、先端側竿管と称する）の継合部の寸法精度を正確に管理することは難しい。例えば、継合部における寸法が緩くなると、継合操作がし易くなるものの、釣竿が撓んだ際、或いはキャスティング操作時に、継合部から鳴きが発生したり、キャスティング操作時に先端側竿管が手元側竿管から抜けてしまう、という問題が生じる。また、これとは逆に、継合部における寸法がきつくなってしまうと、両竿管を継合する際の嵌合操作がし難くなると共に、両竿管を取り外す際に継合部で固着してしまい、抜け難くなるという問題が生じる。
【０００４】
本発明は、上記した問題に基づいてなされたものであり、簡単な構造で、継合部から発生する鳴きを防止すると共に固着し難く、継合操作し易い釣竿を提供することを目的とする。
【課題を解決するための手段】
【０００５】
上記した目的を達成するために、本発明に係る釣竿は、大径竿管の継合部に小径竿管の継合部を継ぎ合わせたインロー継式又は並継式に構成されており、前記小径竿管の継合部の端部から前記継合部の長さ分離間した領域に設けられ、前記大径竿管が嵌合可能な傾斜部と、前記大径竿管の継合部の端部から前記継合部の長さ分離間した領域に設けられ、前記小径竿管が嵌合可能となるように部分的に内方に突出した変形部とを有することを特徴とする。
【０００６】
上記した構成によれば、大径竿管と小径竿管を継合させた場合、大径竿管先端側では、大径竿管の端部が小径竿管の傾斜部と嵌合すると共に、小径竿管先端側では、差込み操作に伴って、小径竿管の先端部が大径竿管に形成された変形部に当接しながら、嵌合するようになる。両竿管の継合状態では、継合部の両端が、傾斜部と変形部によって嵌合された状態となっているため、釣竿が撓んだりキャスティング操作する際に、ガタ付きが無くなって鳴きが発生することがない。
【０００７】
また、両竿管を継合する際、部分的に内方に突出する変形部に当接させながら継合操作を行うため、継合時における負荷が少なくなって継合操作が行い易いと共に、変形部を設けたことで、継合時に多少の隙間が形成されるようになり、固着が防止される。
【０００８】
更には、部分的に内方に突出する変形部を設けたことで、大径竿管の内面及び小径竿管の外面を厳密に寸法管理しなくても（多少の作成誤差があっても）、簡単な構成で鳴きや固着等の問題を解消することが可能となる。
【０００９】
なお、上記した構成において、大径竿管とは、継合部において外側に位置する側の竿管（メス側の竿管）であり、小径竿管とは、継合部において内側に位置する側の竿管（オス側の竿管）によって定義される。このため、インロー継式の釣竿においては、インローが固定された側の竿管が小径竿管となり、このインローに差し込まれる側の竿管が大径竿管となる。また、竿管には、内部に空洞部が形成された、いわゆる管状のもの、及び内部に空洞部が形成されていない、いわゆるソリッド状のものが含まれる。
【００１０】
また、上記した構成において、大径竿管に設けられる変形部とは、大径竿管の内面で規定される仮想円を考慮した場合、それよりも部分的に内側に向けて突出する形状は勿論、仮想円に対して部分的に内側に潰れてその部分が略円弧状となって曲率半径が仮想円と同等か小さくなった部分等も含まれる。すなわち、このような変形部が存在することで、継合操作時に変形部に当て付きながら、小径竿管が大径竿管の内周面に円周上で部分的に当接した嵌合状態とすることが可能になる。
【発明の効果】
【００１１】
本発明によれば、簡単な継合構成で、継合部から発生する鳴きを防止すると共に固着し難く、継合操作し易い釣竿が得られる。
【発明を実施するための最良の形態】
【００１２】
以下、本発明に係る釣竿の一実施形態を、添付図面を参照して具体的に説明する。  
図１は、本発明に係る釣竿の一実施形態を示す側面図である。  
本実施形態の釣竿１は、元竿管（手元側竿管）２と、元竿管２の先端に継合される穂先竿管（先端側竿管）３とを備えた２本継竿として構成されており、主に、ルアーロッドやフライロッドとしての用途を備えている。
【００１３】
前記元竿管２の基端側には、握持保持されるグリップ４、及びリール（スピニングリール）５０が装着されるリールシート５が設けられている。また、元竿管２及び穂先竿管３の外周部には、リール５０から繰出される釣糸が案内されるように、固定ガイド７が、糸巻き、糸止め等の固定部材２２によって固定されている。なお、穂先竿管３の先端には、トップガイド８が固定されている。
【００１４】
前記元竿管２及び穂先竿管３は、強化繊維（炭素繊維やガラス繊維等）に合成樹脂を含浸した、いわゆるＦＲＰによって管状に成形されており、両竿管は、図２に示すように、インロー継式構造で継合されるようになっている。
【００１５】
具体的には、元竿管２の先端側に略円柱形状のインロー（合せ栓）１０を接着しておき、その突出部分の外周に、穂先竿管３が嵌入されるようになっている。このため、本実施形態では、インロー１０が接着された元竿管２が請求項における小径竿管として定義され、穂先竿管３が請求項における大径竿管として定義される。
【００１６】
インロー１０の元竿管２からの突出部分において、符号Ｒで示す領域が、元竿管（小径竿管）２の継合部になると共に、穂先竿管（大径竿管）３の継合部となる。すなわち、符号Ｒで示す領域が、両竿管の継合長さ（継合部の長さ）となる。
【００１７】
前記インロー１０には、端部Ｐ１から継合部の長さに亘って軸方向に延出するストレート部１０ａが形成されており、端部Ｐ１から継合部の長さＲ分離間した領域に、軸方向に沿って所定長さを有する傾斜部１０ｂが形成されている。この場合、傾斜部１０ｂは、端部Ｐ１側から次第に拡径するテーパ状に形成されており、穂先竿管３を嵌合した際、その開口部３ａが全周に亘って接触して固定されるようになっている。このため、両竿管の継合時では、インロー１０の傾斜部１０ｂが露出した状態になっている。
【００１８】
そして、図３に示すように、穂先竿管３の継合部の端部Ｐ２から継合部の長さＲ分離間した領域には、軸方向に沿って所定長さを有する変形部２０が設けられている。この変形部２０は、元竿管２（インロー１０）が嵌合可能となるように、その内周面が部分的に内方に突出した形状となっている。
【００１９】
変形部２０は、穂先竿管３の内周面によって規定される仮想円を考慮した場合、その仮想円に対して部分的に内側に向けて突出する領域が存在すれば良い。例えば、穂先竿管３の内周面が内側に向けて部分的に膨出するように突出する形状、或いは、穂先竿管３が外部から押圧されることで内周面が部分的に内側に潰れ、仮想円に対してその部分が略円弧状になって曲率半径が仮想円と同等か小さくなった形状等であっても良い。
【００２０】
後者のような形状の変形部２０については、例えば、穂先竿管３を成形する際、成形用の芯金の外周面の一部に、予め円弧状の面をフライス加工により形成しておき、この芯金にプリプレグシートを巻回し、その後、加熱、脱芯等、常法に従った製法によって形成することが可能である。或いは、以下のように、穂先竿管３の外周面の対応する部分に、前記釣糸が挿通される固定ガイド７を固定することで形成することが可能である。
【００２１】
前記固定ガイド７は、釣糸が挿通される挿通部７ａと、穂先竿管３よりも硬質な材料で形成され、脚部裏側が円弧状で曲率半径が載置部穂先竿管外周の曲率半径よりも小さな脚部７ｂとを備えており、図３に示すように、穂先竿管３の対応する部分（継合部の端部Ｐ２から継合部の長さＲ分離間した領域）に脚部７ｂを載置し、この脚部７ｂを固定部材（綿糸による糸巻き、エポキシ、ウレタン塗料を塗布した糸止め等）２２によって固定することで前記変形部２０を形成することが可能である。すなわち、脚部７ｂは穂先竿管３よりも硬質な材料（ＳＵＳ、真鍮、チタン合金等）で形成されているため、前記固定部材２２によって脚部７ｂを固定することで穂先竿管３を押圧し、その領域をそのまま内周面側に向けて膨出させて変形部２０を形成することが可能となる。
【００２２】
具体的には、図４に示すように、変形部２０の内面形状の曲率半径ｒ１を、仮想円Ｃである穂先竿管３の内周面の曲率半径ｒ２と同等か小さな略円弧状となるように形成することが可能となる。そして、このような形状の変形部２０では、インロー１０に対して穂先竿管３を継合した際、インロー１０の外周面と穂先竿管３の内周面とは、円周上で部分的に当接した状態が維持されるようになる。
【００２３】
この当接部分は、図５（ａ），（ｂ）に示すように、固定ガイド７が固定される領域Ｃ１であることから、その反対方向である（直径方向反対側）領域Ｃ２においても、その反力が作用する当接部分となる。すなわち、元竿管（インロー１０）の継合部の端部は、領域Ｃ１，Ｃ２において、穂先竿管３の内周面と部分的に当接することとなり、Ｃ１，Ｃ２方向のガタ付き（縦方向のガタ付き）を抑えることが可能になると共に、Ｃ１，Ｃ２方向と直交する方向におけるガタ付き（横方向のガタ付き）も効果的に抑制することが可能となる。
【００２４】
以上のように、インロー１０が固定された元竿管２と穂先竿管３を継合すると、穂先竿管３の後端側では、その端部Ｐ２における開口部３ａが元竿管２の傾斜部１０ｂに全周に亘って接触して固定され、かつ元竿管２の先端側では、差込み操作に伴って、元竿管２（インロー１０）の先端部が穂先竿管３に形成された変形部２０に当接しながら、最終的に円周方向で部分的に当接して嵌合するようになる。
【００２５】
このように、両竿管２，３の継合状態では、継合部の両端が、傾斜部１０ｂと変形部２０によって嵌合された状態となっているため、釣竿が撓んだりキャスティング操作する際に、ガタ付きが抑制され、鳴きが発生することがない。また、両竿管を継合する際、部分的に内方に突出する変形部２０に当接させながら継合操作を行うため、継合時における負荷が少なくなって継合操作が行い易いと共に、部分的に内方に突出する変形部２０を設けたことで、継合時に、その変形部の周囲や傾斜部１０ｂと変形部２０との間に多少の隙間が形成されるようになり、固着が防止されるようになる。
【００２６】
特に、ルアーロッドやフライロッドでは、固定ガイド７の取付位置方向とキャスティング方向が一致しており、上記した領域Ｃ１，Ｃ２を含む直径方向に沿ってキャスティング操作が行われることから、よりキャスティング操作時に鳴きが発生し難くなる。
【００２７】
また、上記した変形部２０は、単に、穂先竿管３の端部から継合長さＲだけ離間した位置に固定ガイド７を固定することで形成できるため、継合部における寸法がばらついても両竿管を確実に固定することができると共に、きわめて簡単な構成で、鳴き及び固着の発生を防止した釣竿を得ることが可能となる。
【００２８】
この場合、固定ガイド７の脚部７ｂについては、上記した略円弧状の変形部２０が形成されるように、穂先竿管３の取付位置外面の曲率半径よりも、その内面の曲率半径が小さくなるように形成されていることが好ましい。また、脚部７ｂは、ガイドの耐久性や強度などを考慮して、最大厚みは、０．９〜１．６ｍｍの範囲とし、その幅は、２．５〜５．５ｍｍとすることが好ましい。
【００２９】
なお、上記した変形部２０は、固定ガイド７を固定する以外にも、穂先竿管３よりも硬質な材料で形成された板状部材（金属部材）を、同様な固定部材によって固定することで形成しても良い。また、板状部材は竿管当接部側に湾曲した断面円弧状であっても良い。
【００３０】
また、上記した変形部２０は、両竿管２，３を継合した際、以下のような態様が得られるように形成されることが好ましい。
【００３１】
図６に示すように、元竿管２の継合部における端部Ｐ１は、穂先竿管３における変形部２０の長さ範囲Ｒ２内に位置することが好ましい。この変形部２０の長さ範囲Ｒ２は、固定ガイド７の脚部７ｂの押圧によって生じる変形の長さであり、固定ガイド７を固定する位置によって容易に得ることが可能となる。
【００３２】
このような構成によれば、確実に変形部２０が元竿管２のインロー１０を押圧しているため、鳴きが発生し難くなる。
【００３３】
また、変形部２０以外の長手方向領域において、穂先竿管３の内面と元竿管２のインロー１０の外面の隙間Ｔは、余り広過ぎると、ガタ付きが発生して鳴きが発生し易くなるため、０．０１ｍｍ未満となるように設定されることが好ましい。この隙間Ｔについては、固定ガイド７が固定される穂先竿管３の肉厚や、固定部材２２の締め付け力等によって適宜調整することが可能である。
【００３４】
さらに、図３に示すように、穂先竿管３の継合部の端部外周に、補強部材３０を設けておくことが好ましい。この補強部材３０は、例えば、円周方向の繊維状、又はリング状の金属、又は樹脂等で形成することが可能であり、このような補強部材を設けることで、穂先竿管３の端部の割れ等を防止することができ、かつ傾斜部１０ｂとの嵌合力のばらつきが出難くなり、固着の発生を確実に防止することが可能となる。
【００３５】
図７は、本発明の第２の実施形態を示す図であり、竿管同士の継合部分を拡大して示す断面図である。
【００３６】
上述したように、本発明は、インロー継式の釣竿以外にも、並継式の釣竿に適用することが可能である。並継式の釣竿では、小径竿管３２の継合部の端部Ｐ３から継合部の長さＲ分離間した領域に、大径竿管３３が嵌合可能な傾斜部３２ａが形成されている。この傾斜部３２ａは、端部Ｐ３から穂先側に向けて次第に拡径するテーパとして形成されており、大径竿管３３の開口３３ａが周方向に亘って接触するようになっている。
【００３７】
また、大径竿管３３の継合部の端部Ｐ４から継合部の長さＲ分離間した領域には、上記した実施形態と同様、固定ガイド７を固定部材２２によって固定することで、小径竿管３２の後端外周が嵌合可能となるように部分的に内方に突出する変形部４０が形成されている。この変形部４０は、大径竿管３３の内周面の曲率半径と同等か小さな略円弧状となるように形成されており、小径竿管３２を継合操作する際、変形部４０に当て付きながら、小径竿管３２の外周面と大径竿管３３の内周面とは、円周上で部分的に当接した状態が維持されるようになっている。
【００３８】
このような並継式の釣竿においても、上記した実施形態と同様、両竿管３２，３３の継合状態では、継合部の両端が、傾斜部３２ａと変形部４０によって嵌合された状態となっているため、釣竿が撓んだりキャスティング操作する際に、ガタ付きが抑制され、鳴きが発生することがない。また、両竿管を継合する際、部分的に内方に突出する変形部４０に当接させながら継合操作を行うため、継合時における負荷が少なくなって継合操作が行い易いと共に、部分的に内方に突出する変形部４０を設けたことで、継合時に、その周囲や傾斜部３２ａと変形部４０との間に多少の隙間が形成されるようになり、固着が防止される。
【００３９】
もちろん、本実施形態においても、上述した第１の実施形態における各種の構成を適用しても良い。
【００４０】
以上、本発明の実施形態について説明したが、本発明は、上記した実施形態に限定されることはなく、種々変形することが可能である。
【００４１】
例えば、上記した変形部２０，４０の形状や形成方法については、適宜変形することが可能である。また、本発明は、固定ガイドを装着しない釣竿に適用しても良いし、更に多数本の竿管を継合する釣竿に適用しても良い。
【図面の簡単な説明】
【００４２】
【図１】本発明に係る釣竿の一実施形態を示す側面図。
【図２】継合部を拡大して示す断面図。
【図３】穂先竿管に固定ガイドを装着した状態を示す断面図。
【図４】固定ガイドを装着した際の穂先竿管の断面図。
【図５】（ａ）は、穂先竿管と元竿管の継合状態を示す断面図、（ｂ）は変形部の拡大図。
【図６】穂先竿管に固定ガイドを装着した状態を示す拡大断面図。
【図７】本発明の第２の実施形態を示す図であり、竿管同士の継合部分を拡大して示す縦断面図。
【符号の説明】
【００４３】
１  釣竿
２  元竿管（小径竿管）
３  穂先竿管（大径竿管）
７  固定ガイド
７ｂ  脚部
１０  インロー
１０ａ  ストレート部
１０ｂ  傾斜部
２０  変形部
２２  固定部材
３２  小径竿管
３３  大径竿管
４０  変形部
５０  リール
【図１】
2007252275.tif 000003
【図２】
2007252275.tif 000004
【図３】
2007252275.tif 000005
【図４】
2007252275.tif 000006
【図５】
2007252275.tif 000007
【図６】
2007252275.tif 000008
【図７】
2007252275.tif 000009